(57)【要約】  【課題】パチンコ遊技機の球誘導装置において、主に、複数の遊技球が入賞口近くに短時間間隔で連続的に誘導され互いに接触して、入賞口に入賞し易い状態の遊技球が他の遊技球に阻害されて入賞口に入賞しにくい状態になることを抑制すること、等である。  【解決手段】  排出タイミング変更機構７０は、ガイド筒体５０の内周面の高さ方向の一箇所に、遊技球Ｂと接触可能に設けられた障害突起部７１を有し、この障害突起部７１を用いて、球入口５０ａからガイド筒体５０の内部に先の遊技球Ｂ１が入ってから次の遊技球Ｂ２が入る迄の入球間時間に対して、球出口５０ｂからガイド筒体５０の外部に先の遊技球Ｂ１が出てから次の遊技球Ｂ２が出る迄の排出間時間を長くするように変更する。【選択図】  図７
2010110514.tif 000002
【特許請求の範囲】
【請求項１】
遊技盤に設けられ球入口と球出口とを上下両端部に有するガイド筒体と、このガイド筒体に回転自在に収容支持されてガイド筒体の内部に球入口と球出口とに連通する螺旋通路を形成する螺旋回転体とを有する球誘導装置を備えたパチンコ遊技機において、
前記球誘導装置は、
前記螺旋回転体を回転駆動する電動モータを有する回転駆動手段と、
前記回転駆動手段を制御する回転制御手段と、
前記球入口からガイド筒体の内部に先の遊技球が入ってから次の遊技球が入る迄の入球間時間に対して、前記球出口からガイド筒体の外部に前記先の遊技球が出てから次の遊技球が出る迄の排出間時間を変更する排出タイミング変更手段と、
を備えたことを特徴とするパチンコ遊技機。
【請求項２】
前記排出タイミング変更手段は、前記入球間時間よりも前記排出間時間を長くするように変更することを特徴とする請求項１に記載のパチンコ遊技機。
【請求項３】
始動入賞口と、この始動入賞口への遊技球の入賞を契機に所定条件が成立した場合に開放される大入賞口と、始動入賞口の上側に設けられ遊技球が転動すると共に遊技球を始動入賞口へ案内する入賞案内部を有するステージとを備え、
前記ステージへ遊技球を導くワープ通路の少なくとも一部に、前記ガイド筒体の内部の螺旋通路が設けられたことを特徴とする請求項２に記載のパチンコ遊技機。
【請求項４】
前記回転制御手段は、螺旋回転体の回転速度と回転方向の少なくとも一方を変化させるように制御することを特徴とする請求項１〜３の何れかに記載のパチンコ遊技機。
【請求項５】
前記排出タイミング変更手段は、ガイド筒体の内周面の高さ方向の少なくとも一箇所に、遊技球と接触可能に設けられた障害突起部を有することを特徴とする請求項１〜４の何れかに記載のパチンコ遊技機。
【請求項６】
前記排出タイミング変更手段は、ガイド筒体の内周面と螺旋回転体の螺旋部上面の少なくとも一方の高さ方向一部分に設けられ、他の部分よりも摩擦係数が大きい高摩擦部を有することを特徴とする請求項１〜４の何れかに記載のパチンコ遊技機。
【発明の詳細な説明】
【技術分野】
【０００１】
本発明はパチンコ遊技機の球誘導装置に関し、特に、ガイド筒体に螺旋回転体が回転自在に収容支持されて、ガイド筒体の内部に螺旋通路が形成されたものである。
【背景技術】
【０００２】
従来、パチンコ遊技機において、遊技領域に発射された遊技球を誘導する球誘導装置として、球入口と球出口とを上下両端部に有するガイド筒体と、このガイド筒体に回転自在に収容支持されてガイド筒体の内部に球入口と球出口とに連通する螺旋通路を形成する螺旋回転体とを備えたもの（例えば、特許文献１，２参照）が公知である。
【０００３】
特許文献１に記載の球誘導装置では、螺旋回転体が電動モータで回転駆動されて、遊技球が螺旋回転体から落下する位置が変化する。この球誘導装置は、所謂羽根物パチンコ機のセンタ役内に設けられ、遊技球をセンタ役物内の上部ステージから下部ステージに誘導する。遊技球が螺旋回転体から落下する位置が変化するため、遊技球がセンタ役物内のＶゾーンに入賞し易くなったり入賞しにくくなったりする。
【０００４】
特許文献２に記載の球誘導装置では、螺旋回転体が遊技球の自重で回転して、遊技球が螺旋回転体から落下する位置が変化する。この球誘導装置は、センタ役物に設けられ、遊技球をセンタ役物の上部から下部のステージに誘導する。そのステージの下側に始動入賞口が設けられ、この始動入賞口への遊技球の入賞を契機に所定条件が成立した場合に大入賞口が開放される。遊技球が螺旋回転体から落下する位置が変化するため、遊技球が始動入賞口に入賞し易くなったり入賞しにくくなったりする。
【０００５】
【特許文献１】特開２００６−１２２４８５号公報
【特許文献２】特開２００４−２２３０６１号公報
【発明の開示】
【発明が解決しようとする課題】
【０００６】
特許文献１，２のようなガイド筒体と螺旋回転体とを備えた球誘導装置では、球入口からガイド筒体の内部に先の遊技球が入ってから次の遊技球が入る迄の入球間時間と、球出口からガイド筒体の外部に前記先の遊技球が出てから次の遊技球が出る迄の排出間時間は略同一になる。特許文献１には、螺旋回転体の回転速度や回転方向を変化させることで、遊技球の落下に変化を持たせることが開示されているが、前記入球間時間に対して前記排出間時間を変化させることは困難である。
【０００７】
この球誘導装置において、遊技球を入賞口近くに誘導するものでは、複数の遊技球が入賞口近くに短時間間隔で連続的に誘導される場合があり、こうして連続誘導され複数の遊技球が互いに接触して、入賞口に入賞し易い状態の遊技球が他の遊技球に阻害されて入賞口に入賞しにくい状態になる場合がある。例えば、パチンコ遊技機が、始動入賞口と、この始動入賞口への遊技球の入賞を契機に所定条件が成立した場合に開放される大入賞口と、始動入賞口の上側に設けられ遊技球が転動すると共に遊技球を始動入賞口へ案内する入賞案内部を有するステージを備え、そのステージに遊技球を誘導する場合である。
【０００８】
この場合、遊技球がステージに誘導され入賞案内部に入ると、始動入賞口に入る可能性が高くなるが、複数の遊技球がステージに短時間間隔で連続的に誘導されると、ステージ上で互いに接触して、入賞案内部に入り易い動きの遊技球が他の遊技球に阻害されて入賞案内部に入りにくい動きとなり、遊技球が入賞案内部に入る可能性、つまり遊技球が始動入賞口に入賞する可能性が低くなることがある。
【０００９】
本発明の目的は、パチンコ遊技機の球誘導装置において、球入口からガイド筒体の内部に先の遊技球が入ってから次の遊技球が入る迄の入球間時間に対して、球出口からガイド筒体の外部に前記先の遊技球が出てから次の遊技球が出る迄の排出間時間を変更し、特に、前記入球間時間よりも前記排出間時間を長くすることで、複数の遊技球が入賞口近くに短時間間隔で連続的に誘導されないようにして、複数の遊技球が入賞口近くで互いに接触して、入賞口に入賞し易い状態の遊技球が他の遊技球に阻害されて入賞口に入賞しにくい状態になることを抑制すること、等である。
【課題を解決するための手段】
【００１０】
請求項１のパチンコ遊技機(1) は、遊技盤(4) に設けられ球入口(50a) と球出口(50b) とを上下両端部に有するガイド筒体(50)と、このガイド筒体(50)に回転自在に収容支持されてガイド筒体(50)の内部に球入口(50a) と球出口(50b) とに連通する螺旋通路(60a) を形成する螺旋回転体(60)とを有する球誘導装置(16,16A,16B)を備えたパチンコ遊技機(1) において、前記球誘導装置(16,16A,16B)は、前記螺旋回転体(60)を回転駆動する電動モータ(71)を有する回転駆動手段(70)と、前記回転駆動手段(70)を制御する回転制御手段(21)と、前記球入口(50a) からガイド筒体(50)の内部に先の遊技球(B1)が入ってから次の遊技球(B2)が入る迄の入球間時間に対して、前記球出口(50b) からガイド筒体(50)の外部に前記先の遊技球(B1)が出てから次の遊技球(B2)が出る迄の排出間時間を変更する排出タイミング変更手段(80,80A,80B)とを備えたことを特徴としている。
【００１１】
この球誘導装置(16)では、遊技球(B) が、球入口(50a) からガイド筒体(50)の内部に入ると、螺旋通路(60a) を回転しながら落下し、球出口(50b) からガイド筒体(50)の外部に出る。回転制御手段(21)により回転駆動手段(70)が制御され、回転駆動手段(70)により螺旋回転体(60)が回転駆動され、螺旋通路(60a) も回転する。回転制御手段(21)により、螺旋回転体(60)の回転速度や回転方向を変化させるように、回転駆動手段(70)が制御されることで、螺旋通路(60a) を通る遊技球(B) の回転速度や落下速度が変化する。そして、排出タイミング変更手段(80,80A,80B)により、球入口(50a) からガイド筒体(50)の内部に先の遊技球(B1)が入ってから次の遊技球(B2)が入る迄の入球間時間に対して、球出口(50b) からガイド筒体(50)の外部に前記先の遊技球(B1)が出てから次の遊技球(B2)が出る迄の排出間時間が変更される。
【００１２】
この請求項１の発明において、前記排出タイミング変更手段(80,80A,80B)は、前記入球間時間よりも前記排出間時間を長くするように変更する構成（請求項２）、更に、始動入賞口(10a) と、この始動入賞口(10a) への遊技球(B) の入賞を契機に所定条件が成立した場合に開放される大入賞口(12a) と、始動入賞口(10a) の上側に設けられ遊技球(B) が転動すると共に遊技球(B) を始動入賞口(10a) へ案内する入賞案内部(40)を有するステージ(15)とを備え、前記ステージ(15)へ遊技球(B) を導くワープ通路(55)の少なくとも一部に、前記ガイド筒体(50)の内部の螺旋通路(60a) が設けられた構成（請求項３）を採用することが好ましい。
【００１３】
また、前記回転制御手段(21)は、螺旋回転体(60)の回転速度と回転方向の少なくとも一方を変化させるように制御する構成（請求項４）、前記排出タイミング変更手段(80)は、ガイド筒体(50)の内周面の高さ方向の少なくとも一箇所に、遊技球(B) と接触可能に設けられた障害突起部(81)を有する構成（請求項５）、前記排出タイミング変更手段(80A,80B) は、ガイド筒体(50)の内周面と螺旋回転体(60)の螺旋部(62)上面の少なくとも一方の高さ方向一部分に設けられ、他の部分よりも摩擦係数が大きい高摩擦部(82,83,84)を有する構成（請求項６）を採用可能である。
【発明の効果】
【００１４】
請求項１のパチンコ遊技機によれば、球誘導装置が前記ガイド筒体と螺旋回転体と回転駆動手段とを備えたので、遊技球が螺旋通路を回転しながら落下し、その際、螺旋回転体（即ち螺旋通路）も回転する独特な球誘導を行って、遊技者の興趣を高めることができる一方、球入口からガイド筒体の内部に先の遊技球が入ってから次の遊技球が入る迄の入球間時間に対して、球出口からガイド筒体の外部に前記先の遊技球が出てから次の遊技球が出る迄の排出間時間を変更する排出タイミング変更手段を備えたので、遊技球を入賞口近くに誘導する場合、前記入球間時間よりも前記排出間時間を長くすることで、複数の遊技球が入賞口近くに短時間間隔で連続的に誘導されないようにして、複数の遊技球が入賞口近くで互いに接触して、入賞口に入賞し易い状態の遊技球が他の遊技球に阻害されて入賞しにくい状態になることを抑制することができる。
【００１５】
請求項２のパチンコ遊技機によれば、排出タイミング変更手段は、前記入球間時間よりも前記排出間時間を長くするように変更するので、遊技球を入賞口近くに誘導する場合、複数の遊技球が入賞口近くに短時間間隔で連続的に誘導されないようにすることができる。
【００１６】
請求項３のパチンコ遊技機によれば、始動入賞口と、この始動入賞口への遊技球の入賞を契機に所定条件が成立した場合に開放される大入賞口と、始動入賞口の上側に設けられ遊技球が転動すると共に遊技球を始動入賞口へ案内する入賞案内部を有するステージとを備え、このステージへ遊技球を導くワープ通路の少なくとも一部に、ガイド筒体の内部の螺旋通路を設けたので、遊技球がワープ通路でステージへ導かれる際、前記独特な球誘導を行い、そして、複数の遊技球がステージに短時間間隔で連続的に誘導されないようにして、複数の遊技球がステージ上で互いに接触して、入賞案内部に入り易い動きの遊技球が他の遊技球に阻害されて入賞案内部に入りにくい動きとなることを抑制できる。
【００１７】
請求項４のパチンコ遊技機によれば、回転制御手段は、螺旋回転体の回転速度と回転方向の少なくとも一方を変化させるように制御するので、螺旋通路における遊技球の回転速度や落下速度を変化させることができる。
【００１８】
請求項５のパチンコ遊技機によれば、排出タイミング変更手段は、ガイド筒体の内周面の高さ方向の少なくとも一箇所に、遊技球と接触可能に設けられた障害突起部を有するので、前記入球間時間に対して前記排出間時間を確実に変化させ、特に、前記入球間時間よりも前記排出間時間を長くするように構成することが可能になる。
【００１９】
請求項６のパチンコ遊技機によれば、排出タイミング変更手段は、ガイド筒体の内周面と螺旋回転体の螺旋部上面の少なくとも一方の高さ方向一部分に設けられ、他の部分よりも摩擦係数が大きい高摩擦部を有するので、前記入球間時間に対して前記排出間時間を確実に変化させるように構成することが可能になる。
【発明を実施するための最良の形態】
【００２０】
本発明のパチンコ遊技機の球誘導装置は、遊技盤に設けられ球入口と球出口とを上下両端部に有するガイド筒体と、このガイド筒体に回転自在に収容支持されてガイド筒体の内部に球入口と球出口とに連通する螺旋通路を形成する螺旋回転体と、この螺旋回転体を回転駆動する電動モータを有する回転駆動手段と、この回転駆動手段を制御する回転制御手段と、球入口からガイド筒体の内部に先の遊技球が入ってから次の遊技球が入る迄の入球間時間に対して、球出口からガイド筒体の外部に前記先の遊技球が出てから次の遊技球が出る迄の排出間時間を変更する排出タイミング変更手段とを備えている。
【実施例１】
【００２１】
図１、図２に示すように、パチンコ遊技機１には、遊技ホールに取付けられる外枠に開閉枠２が開閉自在に装着され、開閉枠２に開閉扉３が開閉自在に装着されている。開閉枠２に遊技盤４が装着され、その遊技盤４の前面側に遊技領域５が形成されている。開閉扉３に窓３ａが形成され、その窓３ａに透明板３ｂが装着され、その透明板３ｂにより遊技領域５の前側が覆われている。
【００２２】
開閉扉３の窓３ａの下側には、遊技球Ｂを貯留する貯留皿６と、遊技者が操作する発射ハンドル７が装着されている。発射ハンドル７が回動操作されると、貯留皿６から発射位置に導入された遊技球Ｂが発射され、ここで、貯留皿６に複数の遊技球Ｂが存在する場合には、例えば、複数の遊技球Ｂが約０．６秒間隔で連続発射される。発射された遊技球Ｂは、ガイドレール８で案内されて遊技領域５の上部に投入される。
【００２３】
図２〜図４に示すように、遊技盤４には、遊技領域５に、多数の障害釘（図示略）の他、始動入賞口装置１０、ゲート１１、大入賞口装置１２、普通入賞口１３、画像表示器１４、ステージ１５、球誘導装置１６、センタ役物１７が装着され、遊技領域５外に遊技表示盤１８が装着され、遊技盤４の裏面側に制御装置２０が装着されている。
【００２４】
始動入賞口装置１０は、センタ役物１７の下側に配置され、所謂電チューを含む構成で、上始動入賞口１０ａ、下始動入賞口１０ｂ、下始動入賞口１０ｂを開閉する開閉部材１０ｃ、始動入賞口１０ａ，１０ｂに入賞した遊技球Ｂを検出する始動口ＳＷ１０ｄ、開閉部材１０ｃを開閉駆動する電チューソレノイド１０ｅを有する。開閉部材１０ｃは、左右対称の２つの短い羽根部材が遊技盤４の盤面直角方向の軸回りに動作するように構成され、閉塞位置で下始動入賞口１０ｂへの遊技球Ｂの入賞を不可能にし、開放位置で下始動入賞口１０ｂへの遊技球Ｂの入賞を可能にする。
【００２５】
ゲート１１は、センタ役物１７の左側に配置され、このゲート１１を通過した遊技球Ｂを検出するゲートＳＷ１１ａが付設されている。ゲート１１を遊技球Ｂが通過することを契機に行われる当り抽選で当選した場合に、補助遊技が発生し、始動入賞口装置１０が作動して、通常は閉塞の下始動入賞口１０ｂが開放するように開閉部材１０ｃを開閉動作させる。
【００２６】
大入賞口装置１２は、始動入賞口装置１０の下側に配置され、大入賞口１２ａ、大入賞口１２ａを開閉する開閉部材１２ｂ、大入賞口１２ａに入賞した遊技球Ｂを検出する大入賞口ＳＷ１２ｃ、開閉部材１２ｂを開閉駆動する大入賞口ソレノイド１２ｄを有する。開閉部材１２ｂは、１つの開閉板が遊技盤４の盤面平行方向の軸回りに動作するように構成され、閉塞位置で大入賞口１２ａへの遊技球Ｂの入賞を不可能にし、開放位置で大入賞口１２ａへの遊技球Ｂの入賞を可能にする。
【００２７】
始動入賞口１０ａ，１０ｂへの遊技球Ｂの入賞を契機に行われる大当り抽選で当選するとうい所定条件が成立した場合に、大当り遊技が発生し、大入賞口装置１２が作動して、通常は閉塞の大入賞口１２ａが開放するように開閉部材１２ｂを開閉動作させる。普通入賞口１３は複数設けられ、この普通入賞口１３に入賞した遊技球Ｂを検出する普通入賞口ＳＷ１３ａが付設されている。
【００２８】
画像表示器１４は、液晶ディスプレイからなり、センタ役物１７に大きく設けられている。この画像表示器１４には、始動入賞口１０ａ，１０ｂへの遊技球Ｂの入賞を契機に大当り抽選演出が表示され、その大当り抽選演出では、例えば、演出図柄を用いて図柄変動や大当り抽選の結果が表示され、また、大当り遊技中には大当り演出が表示される。
【００２９】
ステージ１５はセンタ役物１７の下部に設けられ、球誘導装置１６はセンタ役物１７の左部に設けられている。このステージ１５と球誘導装置１６については後で詳しく説明する。尚、センタ役物１７には、画像表示器１４、ステージ１５、球誘導装置１６の他に、種々の電飾も設けられている。
【００３０】
遊技表示盤１８は、遊技領域５の下部右側に前方へ向けて配置され、特別図柄表示器１８ａ、普通図柄表示器１８ｂ、特別図柄保留ランプ１８ｃ、普通図柄保留ランプ１８ｄ（図４参照）を備えている。特別図柄表示器１８ａには、始動入賞口１０ａ，１０ｂへの遊技球Ｂの入賞を契機に行われる大当り抽選の結果が変動表示後に表示され、普通図柄表示器１８ｂには、ゲート１１を遊技球Ｂが通過することを契機に行われる抽選の結果が変動表示後に表示される。
【００３１】
始動入賞口１０ａ，１０ｂに入賞した遊技球Ｂの数であって、特別図柄表示器１８ａの変動に供しない（後で大当り抽選の結果が得られる）特別図柄の保留数が最大で４つまで保留され、特別図柄保留ランプ１８ｃには、その特別図柄の保留数が表示される。同様に、ゲート１１を通過した遊技球Ｂの数であって、普通図柄表示器１８ｂの変動に供しない（後で当り抽選の結果が得られる）普通図柄の保留数が最大で４つまで保留され、普通図柄保留ランプ１８ｄには、その普通図柄の保留数が表示される。
【００３２】
発射ハンドル７を回動操作することで、発射され遊技領域５の上部に投入された遊技球Ｂは、複数の障害釘等に当たって方向を変えながら落下して、入賞口１０ａ，１０ｂ，１２ａ，１３の何れかに入賞した場合、そこから遊技領域５外へ排出され、入賞口１０ａ，１０ｂ，１２ａ，１３の何れにも入賞しなかった場合には、最終的に、遊技領域５の下端部に形成されたアウト口１９から遊技領域５外へ排出される。
【００３３】
図４に示すように、制御装置２０は、メイン制御装置２１とサブ制御装置２５とで構成されている。メイン制御装置２１は、メイン制御基板２２にＣＰＵとＲＯＭとＲＡＭを備えて構成され、サブ制御装置２５は、払出制御基板２６、演出制御基板２７、画像制御基板２８、ランプ制御基板２９を備え、この複数の制御基板２６〜２９は夫々ＣＰＵとＲＯＭとＲＡＭを備えて構成されている。
【００３４】
メイン制御基板２２が、始動口ＳＷ１０ｄ、ゲートＳＷ１１ａ、大入賞口ＳＷ１２ｃ、普通入賞口ＳＷ１３ａから検出信号を受けて、また、払出制御基板２６から制御情報を受けて、電チューソレノイド１０ｅ、大入賞口ソレノイド１２ｄ、特別図柄表示器１８ａ、普通図柄表示器１８ｂ、特別図柄保留ランプ１８ｃ、普通図柄保留ランプ１８ｄ、球誘導装置１６の電動モータ７１を制御する。
【００３５】
メイン制御装置２１は、始動入賞口１０ａ，１０ｂへの遊技球Ｂの入賞を契機に大当り抽選を行い、この大当り抽選で当選した場合に大当り遊技として大入賞口１２ａを所定の開閉パターンで開閉させるように大入賞口装置１２を制御し、また、大当り抽選で当選した場合に確変抽選を行い、大当り抽選の当選確率を確変抽選で落選した場合に所定の低確率（例えば、約１／３００）に設定し且つ確変抽選で当選した場合に低確率よりも高い高確率（例えば、約１／３０）に設定するように構成されている。
【００３６】
払出制御基板２６は、メイン制御基板２２から制御情報を受け、払出駆動モータ３０を制御し、入賞口１０ａ，１０ｂ，１２ａ，１３への遊技球Ｂの入賞１個について、入賞口１０ａ，１０ｂ，１２ａ，１３毎に設定された数の遊技球Ｂを貯留皿６に払い出す。演出制御基板２７は、メイン制御基板２２から制御情報を受け、また、演出ボタン３１から入力信号を受け、画像制御基板２８とランプ制御基板２９に夫々制御情報を出力する。
【００３７】
画像制御基板２８は、演出制御基板２７から制御情報を受け、画像表示器１４とスピーカ３２を制御する。ランプ制御基板２９は、演出制御基板２７から制御情報を受け、主に画像制御基板２８による制御に同期させて、枠ランプ３３と盤ランプ３４とを制御する。例えば、スピーカ３２と枠ランプ３３は開閉扉３に設けられ、盤ランプ３４は遊技盤４に設けられている。
【００３８】
次に、ステージ１５と球誘導装置１６について詳しく説明する。
図２、図３に示すように、ステージ１５は、始動入賞口１０ａ，１０ｂの上側に設けられ、遊技球Ｂが転動すると共に遊技球Ｂを上始動入賞口１０ａへ案内する入賞案内部４０を有する。ステージ１５は、前面が遊技盤４の盤面（前面）と略同じ前後方向位置となるステージ前面部４１と、ステージ前面部４１の上端部から後方へ連なるステージ上面部４２と、ステージ上面部４２の後端部に形成されたステージ後端起立部４３とを有し、ステージ後端起立部４３が画像表示器１４の下端部に近接している。
【００３９】
ステージ上面部４２には、最も後側に左右方向に細長い第１転動面４５が形成され、第１転動面４５の左右方向中央部分の前側に第２転動面４６と１対の山部４７とが形成され、第１転動面４５の前側及び第２転動面４６と１対の山部４７の前側に左右方向に細長い第３転動面４８が形成されている。
【００４０】
第１転動面４５は緩やかな山形に形成されるとともに、その左右両端部分は緩やかな谷形に形成されている。第２転動面４６は１対の山部４７の間の谷底となるように形成され、第３転動面４８は緩やかな谷形に形成されている。第１，第３転動面４５，４８の両端部同士は連続面となるように繋がっている。第１転動面４５を転動する遊技球Ｂは、第２転動面４６又は第３転動面４８へ移動可能であり、第２転動面４６を転動する遊技球Ｂは第３転動面４８へ移動する。第３転動面４８を転動する遊技球Ｂは、第２転動面４６と１対の山部４７の前側における左右方向位置から落下する。
【００４１】
入賞案内部４０は、第１転動面４５の山頂部の後方位置においてステージ後端起立部４３に形成された案内入口４０ａと、この案内入口４０ａよりも前方且つ下方に位置してステージ前面部４１に形成された案内出口４０ｂと、案内入口４０ａと案内出口４０ｂとを繋ぐ案内通路４０ｃとを有する。遊技球Ｂが、第１転動面４５を左右方向へ転動し、特にその転動速度が遅いときに、第１転動面４５の山頂部から案内入口４０ａに入り易く、そうなると、案内通路４０ｃを通って案内出口４０ｂから排出される。
【００４２】
案内出口４０ｂの真下に上始動入賞口１０ａが上方開口状に配置され、故に、案内出口４０ｂから排出された遊技球Ｂは上始動入賞口１０ａに入賞する可能性が非常に高くなる。案内出口４０ｂから排出された遊技球Ｂが、上始動入賞口１０ａに入賞しない場合でも、開閉部材１０ｃが開放位置のときには、下始動入賞口１０ｂに入賞する可能性が高くなる。また、開閉部材１０ｃが開放位置のときには、第２転動面４６から第３転動面４８を介して落下した遊技球Ｂも下始動入賞口１０ｂに入賞する可能性が高くなる。
【００４３】
図２、図３、図５〜図８に示すように、球誘導装置１６は、遊技盤４に設けられ球入口５０ａと球出口５０ｂとを上下両端部に有する合成樹脂製のガイド筒体５０、ガイド筒体５０に回転自在に収容支持されてガイド筒体５０の内部に球入口５０ａと球出口５０ｂとに連通する螺旋通路６０ａを形成する合成樹脂製の螺旋回転体６０、螺旋回転体６０を回転駆動する電動モータ７１を有する回転駆動機構７０（回転駆動手段）、回転駆動機構７０（電動モータ７１）を制御するメイン制御装置２１（回転制御手段）を備えている。
【００４４】
球誘導装置１６はセンタ役物１７の左部に立設され、センタ役物１７の上部左端側からステージ１５へ遊技球Ｂを導くワープ通路５５の一部（大部分）に、ガイド筒体５０の内部の螺旋通路６０ａが設けられている。ガイド筒体５０の球入口５０ａには、先端部がセンタ役物１７の上部左端側へ開口して臨む筒状部材５６の基端部が接続され、この筒状部材５６と球誘導装置１６とでワープ通路５５が形成されている。
【００４５】
ガイド筒体５０は、筒状の周壁５１と、周壁５１の上端を塞ぐ上壁５２と、周壁５１の下端を塞ぐ底壁５３とを有する。上壁５２に球入口５０ａが形成され、周壁５１の下端部に球出口５０ｂが形成されている。球出口５０ｂは、ステージ１５の中央部分（右方）に向くようにして、その下端が底壁５３の上面に連なるように形成されている。底壁５３の上面は、球出口５０ｂに向かって下方へ傾斜する傾斜面に形成されている。
【００４６】
ガイド筒体５０は、遊技者が視認可能な位置に配置され、ガイド筒体５０の少なくとも周壁５１が透明又は半透明で構成されている。つまり、ガイド筒体５０の内部の遊技球Ｂの動き（回転、落下）を遊技者が見ることができる。尚、上壁５２と底壁５３の一方と周壁５１とを一体成形し、周壁５１の内部に螺旋回転体６０を収容した後、上壁５２と底壁５３の他方を周壁５１に固着するようにしてもよい。
【００４７】
螺旋回転体６０は、軸部６１と、軸部６１に固着され軸部６１の外周外側（径方向外側）へ張出す連続した１つの螺旋部６２とを有し、この軸部６１と螺旋部６２は一体成形されている。螺旋部６２の上面は、外周外側へ向かって下方へ傾斜する傾斜面に形成されている。また、螺旋部６２の下面は、外周外側へ向かって上方へ傾斜する傾斜面に形成されている。螺旋部６２の外周外端と周壁５１との間には、そこから遊技球Ｂが落下しない適度な隙間６３が形成されている。
【００４８】
金属製の回転軸６５が軸部６１に挿通状に固着され、その上下両端部分が軸部６１から突出している。軸部６１の上端部は上壁５２に接近対向し、回転軸６５の上端部分が上壁５２に回転自在に係合支持されている。軸部６１の下端部は底壁５３に回転自在に内嵌支持され、回転軸６５の下端部分が、回転駆動機構７０のギヤ７５に貫通状に固着されるとともに、ガイド筒体５０の下側に配設されガイド筒体５０と固定関係にある駆動系ベース７６に回転自在に係合支持されている。
【００４９】
回転駆動機構７０は、電動モータ７１と、電動モータ７１の駆動力を回転軸６５に伝達するギヤ機構７２とを有する。ギヤ機構７２は３個のギヤ７３〜７５を有し、これらギヤ７３〜７５は互いに噛合した状態で、駆動系ベース７６に回転自在に取付けられている。ギヤ７３，７５に夫々に電動モータ７１の出力軸７１ａと回転軸６５が固着されている。
【００５０】
メイン制御装置２１は、螺旋回転体６０の回転速度と回転方向を一定とするように、或いは、螺旋回転体６０の回転速度と回転方向の一方を変化させるように、或いは、螺旋回転体６０の回転速度と回転方向の両方を変化させるように、電動モータ７１を制御するように構成できる。但し、螺旋回転体６０の回転速度と回転方向の少なくとも一方を変化させる場合には、螺旋回転体６０の動きに周期性を持たせることが好ましい。
【００５１】
以上説明した球誘導装置１６において、ガイド筒体５０、螺旋回転体６０により、球入口５０ａからガイド筒体５０の内部に入った遊技球Ｂは、螺旋部６２の上面と周壁５１の内周面に接触した状態で螺旋通路６０ａを回転しながら落下し、最終的に、球出口５０ｂからガイド筒体５０の外部に出てステージ１５（第１又は第３転動面４５又は４８）に誘導され、その際、回転駆動機構７０により、螺旋回転体６０（即ち螺旋通路６０ａ）も回転する独特な球誘導が行われ、更に、メイン制御装置２１により、螺旋回転体６０の回転速度と回転方向の少なくとも一方を変化させることで、螺旋通路６０ａにおける遊技球Ｂの回転速度や落下速度が変化する。
【００５２】
さて、球誘導装置１６は、更に、図７、図８に示すように、球入口５０ａからガイド筒体５０の内部に先の遊技球Ｂ１（Ｂ）が入ってから次の遊技球Ｂ２（Ｂ）が入る迄の入球間時間ｔαに対して、球出口５０ｂからガイド筒体５０の外部に先の遊技球Ｂ１が出てから次の遊技球Ｂ２が出る迄の排出間時間ｔβを変更する排出タイミング変更機構８０（排出タイミング変更手段）を備えている。
【００５３】
この排出タイミング変更機構８０は、ガイド筒体５０（周壁５１）の内周面の高さ方向の一箇所に、遊技球Ｂと接触可能に設けられた合成樹脂製の障害突起部８１を有する。この障害突起部８１は、螺旋回転体６０が接触して回転不能とならないように、螺旋部６２の外周外端と周壁５１との間の隙間６３に配設されている。
【００５４】
具体的に、障害突起部８１は、周壁５１の下部（例えば、螺旋部６２の下端から２〜３回転上方の高さ部分）に、周方向に適当角度（例えば、３０〜４０度）に亙って設けられ、螺旋部６２のピッチ程度の上下幅を有する。障害突起部８１は、回転する遊技球Ｂを受止める球受面８１ａを有し、断面略３角形に形成され、周壁５１の内周面にビスや接着剤（図示略）等で強固に固定されている。尚、周壁５１と障害突起部８１とを一体成形してもよい。この場合、周壁５１を軸心を通る鉛直面に対して２分割したものを夫々成形し、後で結合するものとして、その一方に障害突起部８１を一体成形することが可能である。
【００５５】
ここで、遊技球Ｂが螺旋通路６０ａに滞在する螺旋通路滞在時間について考える。そこで、障害突起部８１を設けなくても、先の遊技球Ｂ１が螺旋通路６０ａに滞在中の螺旋回転体６０の全体的な動き（回転速度、回転方向）と次の遊技球Ｂ２が螺旋通路６０ａに滞在中の螺旋回転体６０の全体的動きとが異なる或いは異なることが多くなるように、メイン制御装置２１が、螺旋回転体６０の回転速度と回転方向の少なくとも一方を変化させるように、電動モータ７１を制御するように構成する。そうすれば、先の遊技球Ｂ１の螺旋通路滞在時間と次の遊技球Ｂ２の螺旋通路滞在時間とが異なる或いは異なることが多くなるため、入球間時間ｔαに対して排出間時間ｔβを変更させることが期待できる。この場合、メイン制御装置２１が排出タイミング変更機構８０を構成する。
【００５６】
しかし、障害突起部８１を設けた場合には、より確実に、入球間時間ｔαに対して排出間時間ｔβを変更させ、この場合、入球間時間ｔαよりも排出間時間ｔβを長くするように変更させるように構成することができる。
【００５７】
詳述すると、遊技球Ｂが螺旋通路６０ａを回転しながら落下する途中で、１回は障害突起部８１に接触して受止められ、また、そうなるように、障害突起部８１等を構成する。障害突起部８１に受止められた遊技球Ｂは回転を停止するが、螺旋部６２の上面は外周外側へ向かって下方へ傾斜する傾斜面に形成されているため、遊技球Ｂは周壁５１の内周面に接触して、障害突起部８１で確実に受け止められた状態になる。この状態で、螺旋回転体６０が回転すると、その回転方向に応じて、遊技球Ｂが障害突起部８１にガイドされ上昇又は下降する。つまり、螺旋回転体６０が遊技球Ｂの落下側の回転方向と逆方向（以下、下降対応方向という）へ回転すると、遊技球Ｂが下降し障害突起部８１から下側へ外れて、再度、螺旋通路６０ａを回転しながら落下する。
【００５８】
以上の動作を利用して、螺旋回転体６０の回転方向について、その大半を、螺旋回転体６０が遊技球Ｂの落下側の回転方向と同方向（以下、上昇対応方向という）へ回転するようにしておく。即ち、遊技球Ｂが障害突起部８１で受け止められた状態で、螺旋回転体６０が上昇対応方向へ回転すると、遊技球Ｂが上昇し障害突起部８１から上側へ外れるが、約１回転すると、再度、障害突起部８１で受け止められ、また、そうなるように、障害突起部８１等を構成する。
【００５９】
そして、螺旋回転体６０が上昇対応方向へ回転した後に下降対応方向へ回転して、遊技球Ｂが下降し障害突起部８１から下側へ外れるようにし、ここで、先の遊技球Ｂ１に次の遊技球Ｂ２が接触している状態を想定し、先の遊技球Ｂ１のみが障害突起部８１から下側へ外れ、次の遊技球Ｂ２が障害突起部８１に接触するように、螺旋回転体６０が下降対応方向へ回転した後に直ちに上昇対応方向へ回転する。こうした螺旋回転体６０の動きとなるように、この場合、好ましくは、周期性のある動きとなるように、メイン制御装置２１が電動モータ７１を制御する。
【００６０】
つまり、先の遊技球Ｂ１が障害突起部８１から下側へ外れる時から、次の遊技球Ｂ２が障害突起部８１から下側へ外れる時迄の時間を、少なくとも螺旋回転体６０が上昇対応方向へ回転している間の時間以上とすることができ、故に、特に、先の遊技球Ｂ１と次の遊技球Ｂ２が短時間間隔で球入口５０ａからガイド筒体５０の内部に入った場合に、入球間時間ｔαよりも排出間時間ｔβを長くするように変更させることができる。この場合、メイン制御装置２１と障害突起部８１が排出タイミング変更機構８０を構成する。
【００６１】
以上説明した球誘導装置１６によれば次の効果を奏する。
ガイド筒体５０と螺旋回転体６０と回転駆動機構７０とを備えたので、遊技球Ｂが回転しながら落下し、その際、螺旋回転体６０（即ち螺旋通路６０ａ）も回転する独特な球誘導を行って、遊技者の興趣を高めることができる一方、排出タイミング変更機構８０を備えたので、球入口５０ａからガイド筒体５０の内部に先の遊技球Ｂ１が入ってから次の遊技球Ｂ２が入る迄の入球間時間ｔαに対して、球出口５０ｂからガイド筒体５０の外部に先の遊技球Ｂ１が出てから次の遊技球Ｂ２が出る迄の排出間時間ｔβを変更することができる。
【００６２】
ここで、ステージ１５へ遊技球Ｂを導くワープ通路５５の一部に、ガイド筒体５０の内部の螺旋通路６０ａが設けられている。そして、遊技球Ｂが球誘導装置１６によりステージ１５の特に第１転動面４５に誘導された場合、その遊技球Ｂが単独の場合には、第１転動面４５を転動し、場合によって数回Ｕターンするように第１転動面４５を転動して、ステージ１５の入賞案内部４０に案内入口４０ａから入り易い動きとなることが多い。
【００６３】
しかし、複数の遊技球Ｂがステージ１５に短時間間隔で連続的に誘導されると、ステージ１５上で互いに接触して、入賞案内部４０に入り易い動きの遊技球Ｂが他の遊技球Ｂに阻害されて入賞案内部４０に入りにくい動きとなり、遊技球Ｂが入賞案内部４０に入る可能性、つまり遊技球Ｂが始動入賞口１１ａに入賞する可能性が低くなることがある。
【００６４】
そこで、排出タイミング変更機構８０により、入球間時間ｔαよりも排出間時間ｔβを長くするように変更することができるので、複数の遊技球Ｂがステージ１５に短時間間隔で連続的に誘導されないようにして、複数の遊技球Ｂがステージ１５上で互いに接触して、入賞案内部４０に入り易い動きの遊技球Ｂが他の遊技球Ｂに阻害されて入賞案内部４０に入りにくい動きとなることを抑制することができる。
【００６５】
また、メイン制御装置２１は、螺旋回転体６０の回転速度と回転方向の少なくとも一方を変化させるように制御することで、螺旋通路６０ａにおける遊技球Ｂの回転速度や落下速度を変化させ、遊技球Ｂの動きに変化を持たせることができる。特に、この実施例１の具体例では、螺旋通路６０ａの回転方向へ変化させることで、入球間時間ｔαよりも排出間時間ｔβを長くするように確実に変更することができる。
【００６６】
ここで、実施例１の変形例として、ガイド筒体５０（周壁５１）の内周面の高さ方向の複数箇所に、遊技球Ｂと接触可能に設けられた合成樹脂製の複数の障害突起部８１を設けてもよい。これにより、入球間時間ｔαよりも排出間時間ｔβを長くするように一層確実に変更することが期待できる。
【実施例２】
【００６７】
実施例２の球誘導装置１６Ａは、実施例１の球誘導装置１６において、排出タイミング変更機構８０を変更したものであり、排出タイミング変更機構８０以外の構成は同様である。故に、実施例１と基本的に同じものには同一符号を付して説明を省略する。
【００６８】
図９に示すように、この球誘導装置１６Ａの排出タイミング変更機構８０Ａは、ガイド筒体６０の内周面の高さ方向一部分に設けられ、ガイド筒体６０の内周面の他の部分よりも摩擦係数が大きい高摩擦部８２と、螺旋回転体６０の螺旋部６２の上面の高さ方向一部分に設けられ、螺旋部６２の他の部分よりも摩擦係数が大きい高摩擦部６３とを有する。
【００６９】
具体的に、高摩擦部８２は、ガイド筒体６０の下部の内周面にシリコン塗膜を形成して構成され、高摩擦部８３は、螺旋部６２の下部の上面にシリコン塗膜を形成して構成されている。遊技球Ｂは、螺旋通路６０ａの上部において高摩擦部８２，８３のないガイド筒体６０の内周面と螺旋部６２の上面に接触して回転しながら落下するが、螺旋通路６０ａの下部において高摩擦部８２，８３に接触して回転しながら落下する。
【００７０】
つまり、螺旋通路６０ａの上部よりも下部の方が、遊技球Ｂの転がりが悪くなり、遊技球Ｂの速度変化が制動側へ移行する故、入球間時間ｔαに対して排出間時間ｔβを変更させることが期待できる。ここで、実施例１において、先の遊技球Ｂ１が螺旋通路６０ａに滞在中の螺旋回転体６０の全体的な動き（回転速度、回転方向）と次の遊技球Ｂ２が螺旋通路６０ａに滞在中の螺旋回転体６０の全体的動きとが異なる或いは異なることが多くなるようにすれば、先の遊技球Ｂ１の螺旋通路滞在時間と次の遊技球Ｂ２の螺旋通路滞在時間とが異なる或いは異なることが多くなるため、入球間時間ｔαに対して排出間時間ｔβを変更させることが期待できることは述べた。
【００７１】
この実施例２においては、更に、先の遊技球Ｂ１が螺旋通路６０ａの上部に滞在中の螺旋回転体６０の全体的な動き（回転速度、回転方向）と次の遊技球Ｂ２が螺旋通路６０ａの上部に滞在中の螺旋回転体６０の全体的動きとが異なる或いは異なることが多くなるように、また、先の遊技球Ｂ１が螺旋通路６０ａの下部に滞在中の螺旋回転体６０の全体的な動き（回転速度、回転方向）と次の遊技球Ｂ２が螺旋通路６０ａの下部に滞在中の螺旋回転体６０の全体的動きとが異なる或いは異なることが多くなるようにすれば、入球間時間ｔαに対して排出間時間ｔβを変更させることができる。
【実施例３】
【００７２】
実施例３の球誘導装置１６Ｂは、実施例１の球誘導装置１６において、排出タイミング変更機構８０を変更したものであり、排出タイミング変更機構８０以外の構成は同様である。故に、実施例１と基本的に同じものには同一符号を付して説明を省略する。
【００７３】
図１０に示すように、この球誘導装置１６Ｂの排出タイミング変更機構８０Ｂは、ガイド筒体６０の内周面の高さ方向略全体に亙って螺旋状に設けられ、ガイド筒体６０の内周面の他の部分よりも摩擦係数が大きい高摩擦部８４を有する。
【００７４】
具体的に、高摩擦部８４は、螺旋通路６０ａの外周外端と並行するように、ガイド筒体６０の内周面にシリコン塗膜を形成して構成されている。螺旋回転体６０を回転させて、螺旋通路６０ａの遊技球Ｂが高摩擦部８４に接触する接触位置と接触しない非接触位置とに択一的に切換えることができる。例えば、螺旋回転体６０が接触位置に保持された状態で、遊技球Ｂが螺旋通路６０ａの全部を回転しながら落下すると、その際、遊技球Ｂは高摩擦部８４の全部に接触することになる。
【００７５】
つまり、螺旋回転体６０が非接触位置よりも接触位置の方が、遊技球Ｂの転がりが悪くなり、遊技球Ｂの速度変化が制動側へ移行する故、入球間時間ｔαに対して排出間時間ｔβを変更させることが期待できる。ここで、螺旋回転体６０を回転させることで、螺旋回転体６０が非接触位置と接触位置とに択一的に切換えて、先の遊技球Ｂ１が螺旋通路６０ａに滞在中の螺旋回転体６０の全体的な動き（回転速度、回転方向）と次の遊技球Ｂ２が螺旋通路６０ａに滞在中の螺旋回転体６０の全体的動きとが異なる或いは異なることが多くなるようにすることができ、先の遊技球Ｂ１の螺旋通路滞在時間と次の遊技球Ｂ２の螺旋通路滞在時間とが異なる或いは異なることが多くなるため、入球間時間ｔαに対して排出間時間ｔβを変更させることができる。
【００７６】
その他、本発明の趣旨を逸脱しない範囲において、前記開示事項以外の種々の変更を付加して実施可能である。また、本発明は、遊技球Ｂを誘導する種々の球誘導装置、例えば、遊技球Ｂをステージ１５にではなく、種々の入賞口の近くに誘導するものや、入賞口の近く以外に誘導する球誘導装置にも適用できるものである。
【図面の簡単な説明】
【００７７】
【図１】実施例１に係るパチンコ遊技機の正面図である。
【図２】遊技盤の正面図である。
【図３】ステージと球誘導装置の斜視図である。
【図４】パチンコ遊技機の制御系のブロック図である。
【図５】球誘導装置の斜視図である。
【図６】球誘導装置のガイド筒体を省略した状態の斜視図である。
【図７】図５のVII −VII 線断面図である。
【図８】図７のVIII−VIII線断面図である。
【図９】実施例２の図７相当図である。
【図１０】実施例３の図７相当図である。
【符号の説明】
【００７８】
Ｂ  遊技球
Ｂ１  先の遊技球
Ｂ２  次の遊技球
１  パチンコ遊技機
１０ａ，１０ｂ  始動入賞口
１２ａ  大入賞口
１５  ステージ
１６，１６Ａ，１６Ｂ  球誘導装置
２１  メイン制御装置
４０  入賞案内部
５０  ガイド筒体
５０ａ  球入口
５０ｂ  球出口
５５  ワープ通路
６０  螺旋回転体
６０ａ  螺旋通路
６２  螺旋部
７０  回転駆動機構
７１  電動モータ
８０，８０Ａ，８０Ｂ  排出タイミング変更機構
８１  障害突起部
８２，８３，８４  高摩擦部
【図１】
2010110514.tif 000003
【図２】
2010110514.tif 000004
【図３】
2010110514.tif 000005
【図４】
2010110514.tif 000006
【図５】
2010110514.tif 000007
【図６】
2010110514.tif 000008
【図７】
2010110514.tif 000009
【図８】
2010110514.tif 000010
【図９】
2010110514.tif 000011
【図１０】
2010110514.tif 000012